(57)【要約】      （修正有）【課題】電力ノードにおける経済的動作を向上または最適化する配電システムを動作させるためのシステム、方法、および装置を提供する。【解決手段】コンピュータ１１６は、ノードデバイスのそれぞれにおける少なくとも１つの動作パラメータを記憶するように構成されたメモリ領域１２０と、このメモリ領域に通信によって結合しているプロセッサ１１８とを含む。このプロセッサは、最適化される配電システムにおける所望の動作制限を決定し、少なくとも１つのノードデバイスの動作パラメータの変更に基づいて、動作制限に対する効果を計算し、ノードデバイスに動作パラメータを変更させるために、そのノードデバイスにコマンドを送信するようにプログラムされている。【選択図】図１
2013005718.tif 000002
【特許請求の範囲】
【請求項１】
複数のノードデバイスを含む配電システム（１００）に用いるためのコンピュータ（１１６）であって、
複数のノードデバイスのそれぞれにおける少なくとも１つの動作パラメータを記憶するように構成されたメモリ領域（１２０）と、
前記メモリ領域に通信によって結合しており、最適化される前記配電システムにおける所望の動作制限を決定し、前記複数のノードデバイスのうちの少なくとも１つのノードデバイスの少なくとも１つの動作パラメータの変更に基づいて、前記動作制限に対する効果を計算し、前記少なくとも１つのノードデバイスに前記少なくとも１つの動作パラメータを変更させるために、前記少なくとも１つのノードデバイスにコマンドを送信するように構成されたプロセッサ（１１８）と
を備える、コンピュータ（１１６）。
【請求項２】
さらに前記プロセッサ（１１８）が、イベントを検出するようにプログラムされており、前記プロセッサから前記少なくとも１つのノードデバイスに送信される前記コマンドが、前記イベントに対処するために前記所望の動作制限を最適化することを促進する、請求項１記載のコンピュータ（１１６）。
【請求項３】
さらに前記プロセッサ（１１８）が、前記配電システム（１００）における現行時間およびエネルギー需要の少なくとも一方に基づいて前記イベントを検出するようにプログラムされている、請求項２記載のコンピュータ（１１６）。
【請求項４】
さらに前記プロセッサ（１１８）が、前記少なくとも１つのノードデバイスのうちの少なくとも１つの動作パラメータを変更するために時間ベースのコスト関数を計算するようにプログラムされている、請求項１記載のコンピュータ（１１６）。
【請求項５】
さらに前記プロセッサ（１１８）が、前記配電システム（１００）における需要応答イベントを開始するために時間ベースのコスト関数を計算するようにプログラムされている、請求項１記載のコンピュータ（１１６）。
【請求項６】
さらに前記プロセッサ（１１８）が、前記少なくとも１つのノードデバイスのうちの少なくとも１つの動作パラメータに対する、前記需要応答イベントの効果を判定するようにプログラムされている、請求項５記載のコンピュータ（１１６）。
【請求項７】
配電システム（１００）であって、
複数のノードデバイスと、
前記複数のノードデバイスに通信によって結合しており、前記複数のノードデバイスのそれぞれにおける少なくとも１つの動作パラメータを記憶するように構成されたメモリ領域（１２０）、および、最適化される前記配電システムにおける所望の動作制限を決定し、前記複数のノードデバイスのうちの少なくとも１つのノードデバイスの少なくとも１つの動作パラメータの変更に基づいて、前記動作制限に対する効果を計算し、前記少なくとも１つのノードデバイスに前記少なくとも１つの動作パラメータを変更させるために、前記少なくとも１つのノードデバイスにコマンドを送信するようにさらにプログラムされたプロセッサ（１１８）を含むコンピュータ（１１６）と
を備える、配電システム（１００）。
【請求項８】
さらに前記プロセッサ（１１８）が、イベントを検出するようにプログラムされており、前記コンピュータから前記少なくとも１つのノードデバイスに送信される前記コマンドが、前記イベントに対処するために前記所望の動作制限を最適化することを促進する、請求項７記載の配電システム（１００）。
【請求項９】
さらに前記プロセッサ（１１８）が、前記配電システムにおける現行時間およびエネルギー需要の少なくとも一方に基づいて前記イベントを検出するようにプログラムされている、請求項８記載の配電システム（１００）。
【請求項１０】
前記少なくとも１つのノードデバイスが、前記コマンドに応じて、前記少なくとも１つのノードデバイスの電圧特性、および、前記少なくとも１つのノードデバイスの力率特性の少なくとも一方を変更するように構成されている、請求項７記載の配電システム（１００）。
【発明の詳細な説明】
【技術分野】
【０００１】
本明細書で説明される実施形態は、概して配電システムに関し、より詳細には、配電システムにおける動作の向上に用いるためのシステムおよび方法に関する。
【背景技術】
【０００２】
電力への需要が増すにつれて、電圧低下および／または計画停電の可能性も同様に高まる。このような事態の可能性を低減するために、少なくともいくつかの公知の配電システムは、電力網に過負荷をかけないようにするために、エネルギー需要の高い時間帯に需要応答イベント（ｄｅｍａｎｄ  ｒｅｓｐｏｎｓｅ  ｅｖｅｎｔ）を開始する。例えば、いくつかの公知の配電システムは、需要家の家、または、家の中にある特定の家電機器などの負荷による電力使用量を監視し、その電力使用量を自動的に変更するためにスマートメーターを用いている。少なくともいくつかの公知のスマートメーターは、需要応答イベントが開始されたというメッセージを電力会社から受信すると、過剰量の電力を消費している１つまたは複数の負荷を特定し、次に、需要応答イベントに応じてそれらの負荷の電源を自動的に遮断するか、または、過剰な電力を消費している所有者に警告するようにプログラムされる。しかし、公知のデバイスは、電力網の他の場所における効率および／または送出コストに関して負荷の低減が有し得る影響を考えずに、電力網の負荷を減らしている。したがって、このようなデバイスの全体的な恩恵は、電力網の他の場所において生じる損失によって制限される場合がある。
【発明の概要】
【０００３】
一態様では、コンピュータと、複数のノードデバイスとを含む配電システムを動作させるための方法が提供される。この方法は、コンピュータを用いて、最適化される配電システムにおける所望の動作制限を決定することを含む。このコンピュータは、複数のノードデバイスのうちの少なくとも１つのノードデバイスの少なくとも１つの動作パラメータの変更に基づいて、動作制限に対する効果を計算し、ノードデバイスに動作パラメータを変更させるために、そのノードデバイスにコマンドを送信する。
【０００４】
別の態様では、配電システムが、複数のノードデバイスと、それらのノードデバイスに通信によって結合しているコンピュータとを含む。このコンピュータは、ノードデバイスのそれぞれにおける少なくとも１つの動作パラメータを記憶するように構成されたメモリ領域と、最適化される配電システムにおける所望の動作制限を決定し、少なくとも１つのノードデバイスの動作パラメータの変更に基づいて動作制限に対する効果を計算し、ノードデバイスに動作パラメータを変更させるために、そのノードデバイスにコマンドを送信するようにプログラムされたプロセッサとを含む。
【０００５】
別の態様では、複数のノードデバイスを含む配電システムに用いるためのコンピュータが提供される。このコンピュータは、ノードデバイスのそれぞれにおける少なくとも１つの動作パラメータを記憶するように構成されたメモリ領域と、そのメモリ領域に通信によって結合しているプロセッサとを含む。このプロセッサは、最適化される配電システムにおける所望の動作制限を決定し、少なくとも１つのノードデバイスの動作パラメータの変更に基づいて、動作制限に対する効果を計算し、ノードデバイスに動作パラメータを変更させるために、そのノードデバイスにコマンドを送信するようにプログラムされている。
【図面の簡単な説明】
【０００６】
【図１】例示的配電システムの概略図である。
【図２】図１に示されている配電システムを動作させる例示的方法を示すフローチャートである。
【発明を実施するための形態】
【０００７】
配電システムにおける動作の向上に用いるためのシステムおよび方法に関する例示的実施形態が、本明細書で説明される。本明細書で説明される実施形態は、ノードレベルで収集され、また維持されるデータを用いて、電力網ノードにおける向上した動作と経済的動作とを促進する。電力ノードにおける経済的動作を向上または最適化することは、電力網におけるエネルギー送出の効率を上げることを促進する。エネルギー送出の効率を上げることは、電力会社の収益を上げ、エネルギー送出コストを下げ、かつ／または、需要家の電気料金を下げることを促進する。さらに、本明細書で説明される実施形態は、エネルギー消費量が変更された結果生じる収益変化と、効率向上とのバランスをとることを容易にする。例えば、エネルギー送出の効率を上げることは、エネルギー消費量に対応する低下のために、収益に対して逆の効果をもたらし得る。
【０００８】
本明細書で説明されるシステム、方法、および装置における例示的技術の実施には、（ａ）最適化される配電システムにおける所望の動作制限を決定するために、コンピュータを用いることと、（ｂ）複数のノードデバイスのうちの１つまたは複数における少なくとも１つの動作パラメータの変更に基づいて、動作制限に対する効果を計算することと、（ｃ）ノードデバイスに動作パラメータを変更させるために、そのノードデバイスにコマンドを送信することとが含まれる。
【０００９】
図１は、例示的配電システム１００の概略図である。例示的実施形態では、システム１００は、複数のノード、または配電デバイス１０２を含む。例示的配電デバイス１０２は、例えば、変電所の負荷タップ切り替え器または電圧レギュレータ１０４、ライン電圧レギュレータ１０６、キャパシタバンク制御部１０８、単相または多相の変圧器１１０、および／または、需要家の家などの負荷１１４に結合した需要家メーター１１２を含む。電圧レギュレータ１０４および１０６、ならびにキャパシタバンク制御部１０８は、指定された電圧レベル、および／または、指定された力率でそれぞれ動作する。
【００１０】
さらに、例示的実施形態では、システム１００は、ネットワーク（図示せず）を介して通信によって配電デバイス１０２に結合しているコンピュータまたはコントローラ１１６を含む。コンピュータ１１６は、マイクロプロセッサ、マイクロコントローラベースのプラットフォーム、好適な集積回路、または、１つもしくは複数の特定用途向け集積回路（ＡＳＩＣ）などの、少なくとも１つのプロセッサ１１８を含む。プロセッサ１１８は、少なくとも１つのデータ記憶装置またはメモリ領域１２０と通信可能に結合しており、すなわち、少なくとも１つのデータ記憶装置またはメモリ領域１２０にアクセスするように動作可能であるか、または、それらと信号を交換するように動作可能である。メモリ領域１２０は、１つまたは複数の形態のメモリを含むことができる。例えば、メモリ領域１２０は、不揮発性ＲＡＭ（ＮＶＲＡＭ）、磁気ＲＡＭ（ＭＲＡＭ）、強誘電体ＲＡＭ（ＦｅＲＡＭ）、および他の形態のメモリを含み得るランダムアクセスメモリ（ＲＡＭ）を含むことができる。また、メモリ領域１２０は、リードオンリーメモリ（ＲＯＭ）、フラッシュメモリ、および／または、電気消去可能プログラマブルリードオンリーメモリ（ＥＥＰＲＯＭ）を含むこともできる。メモリ領域１２０には、任意の他の好適な磁気メモリ、光学式メモリ、および／または半導体メモリが、単独で、または、他の形態のメモリと組み合わせて含まれ得る。メモリ領域１２０は、限定されないが、好適なカートリッジ、ディスク、ＣＤＲＯＭ、ＤＶＤ、またはＵＳＢメモリを含む、着脱可能もしくは取り外し可能なメモリであってもよく、または、これらの着脱可能もしくは取り外し可能なメモリを含むことができる。
【００１１】
例示的実施形態では、メモリ領域１２０は、それぞれの配電デバイス１０２に関連した電圧特性および／または力率特性を記憶している。電圧特性は、例えば、信頼性および／もしくはデバイス性能に関係した閾値動作電圧、ならびに／または、任意の他のパラメータでもよい。力率特性は、例えば、閾値動作力率でもよい。さらに、メモリ領域１２０は、システム１００に関係した所望の効率値、および／または、それぞれの配電デバイス１０２に関係した所望の効率値を記憶している。例えば、エネルギー需要に基づいてシステム１００の効率を調整するために、必要に応じてキャパシタバンクをアクティブ化または非アクティブ化することができる。さらに、メモリ領域１２０は、システム１００を稼働している電力会社に対する所望の収益値を記憶している。
【００１２】
さらに、例示的実施形態では、メモリ領域１２０は、配電デバイス１０２のネットワーク階層構造を記憶している。例えば、この階層構造は、それぞれの配電デバイス１０２に関連する複数の層を有するツリー形式で構成することができる。例えば、一実施形態では、階層構造における第１の層は、電圧レギュレータ１０６に対応しており、階層構造における第２の層は、キャパシタバンク制御部１０８に対応している。この階層構造は、任意の好適な方法で構成することができる。例えば、これらの層は、電力会社からの距離に対応していてもよく、かつ／または、コンピュータ１１６からの距離に対応していてもよく、その場合には、第１の層は、需要家メーター１１２に対応し、第２の層は、コンピュータ１１６のより近くに地理的に、かつ／または、通信によって配置された位相変圧器１１０に対応する。位相変圧器１１０は、複数の負荷１１４に供給するために位相変圧器１１０を複数の負荷１１４につないでいる電線が分岐される前などの、コンピュータ１１６のより近くに配置されているため、電力会社からのエネルギー出力全体のうちの多くの部分を受け、それによって高い電圧レベルを有する。同様に、このような実施形態では、第３の層が、コンピュータ１１６のさらに近くに配置されたライン電圧レギュレータ１０６に対応しているため、この第３の層は、位相変圧器１１０に比べると、電力会社からのエネルギー出力全体のうちのさらに多くの部分を受ける。代替実施形態では、この階層構造は、逆の方法で構成されていてもよく、その場合には、変電所の負荷タップ切り替え器または電圧レギュレータ１０４などの、コンピュータ１１６に最も近いノードが第１の層に対応する。あるいは、この階層構造は、以下でさらに詳細に説明されるように、システム１００に対する最適な切り替え計画（ｏｐｔｉｍａｌ  ｓｗｉｔｃｈ  ｐｌａｎ）をコンピュータ１１６が決定することを可能にする、任意の好適な方法で構成されていてもよい。
【００１３】
例示的実施形態では、メモリ領域１２０に記憶されたデータを用いて、全体としてのシステム１００の動作、および／または、例えば１つまたは複数の配電デバイス１０２である、システム１００における構成要素の動作を最適化することを促進するために、コンピュータ１１６は、コンピュータ実行可能命令を用いてプログラムされる。例えば、例示的実施形態では、コンピュータ１１６は、メモリ領域１２０に記憶された複数の関数を用いて、システム１００における１つまたは複数の動作パラメータに対してなされる調整に基づく、システム１００の効率および／または収益を計算する。コンピュータ１１６は、関数の結果を比較して、システム１００におけるピークエネルギー需要に関係する需要応答イベントなどの、システム１００で検出されるイベントに対する最適解を求める。また、このイベントは、１日における時間帯、月における時間帯、または年間における時間帯などの、時間ベースのイベントでもよい。
【００１４】
例示的実施形態では、第１の関数は、例えば、指定された時間帯などの時間と、指定された配電デバイス１０２にリンクしている１つまたは複数の配電デバイス１０２の電圧特性と、指定された配電デバイス１０２にリンクしている１つまたは複数の配電デバイス１０２の力率特性とに基づく、指定された配電デバイス１０２の動作パラメータの変更に関するコスト関数である。第２の関数は、指定された時間帯などの時間と、指定された配電デバイス１０２にリンクしている１つまたは複数の配電デバイス１０２の電圧特性と、指定された配電デバイス１０２にリンクしている１つまたは複数の配電デバイス１０２の力率特性とに基づく、指定された配電デバイス１０２の動作に関するコスト関数である。第３の関数は、第２の関数と同様であるが、指定された異なる配電デバイス１０２の動作に関する。第４の関数は、メモリ領域１２０に記憶された階層構造における特定の層に分離された、需要応答イベントに関係する時間ベースのコスト関数である。第５の関数は、階層構造のうちの特定の層における、指定された配電デバイス１０２の電圧特性、および／または、力率特性に対する需要応答イベントの効果に関し、この第５の関数は、第４の関数の出力と、指定された配電デバイス１０２にリンクしている１つまたは複数の配電デバイス１０２の電圧特性と、指定された配電デバイス１０２にリンクしている１つまたは複数の配電デバイス１０２の力率特性とに基づいている。コンピュータ１１６は、任意の他の好適な関数もしくは値に加えて、または、任意の他の好適な関数もしくは値の代わりに、上記の関数を用いるようにプログラムされ得る点を理解されたい。さらに、コンピュータ１１６は、本明細書で説明されるように、システム１００に対する最適な動作環境をコンピュータ１１６が決定することを可能にする、上記で説明されていない任意の好適な関数または値を用いるようにプログラムされ得る点を理解されたい。
【００１５】
例示的実施形態では、コンピュータ１１６は、関数の結果を比較して、例えば、効率または収益などの、システム１００における所望の動作制限を最適化する関数を求める。コンピュータ１１６は、比較に基づいて、システム１００における動作制限に対する効果が向上するように、指定された動作パラメータを１つまたは複数の配電デバイス１０２に変更させるコマンドを、その１つまたは複数の配電デバイス１０２に送信する。
【００１６】
図２は、例えば、効率または収益などの特定の動作制限に従って配電システム１００の動作を向上および／または最適化することによって、（図１に示されている）配電システム１００を動作させる例示的方法を示すフローチャート２００である。例示的実施形態では、（図１に示されている）コンピュータ１１６は、イベントを検出する（２０２）。このイベントは、需要応答イベントでもよく、かつ／または、キャパシタバンクの動作、電圧レギュレータの動作、および／もしくは、変圧器のタップ切り替え器の動作などの、電力網における時間および／もしくは制御動作に基づき得るイベントでもよい。コンピュータ１１６は、イベントの検出に応じて、そのイベントに対処するために、最適化される配電システムにおける所望の動作制限を決定する（２０４）。例えば、動作制限は、電力会社から（図１に示されている）負荷１１４に配電する効率に関していてもよい。あるいは、動作制限は、動作システム１００に関連するコストに関していてもよい。例えば、（図１に示されている）１つまたは複数の配電デバイス１０２における動作パラメータの調整によって、動作システム１００のコストが下がり得る。
【００１７】
例示的実施形態では、コンピュータ１１６は、１つまたは複数の配電デバイス１０２における少なくとも１つの動作パラメータの変更に基づいて、動作制限に対する効果を計算する（２０６）。例えば、コンピュータ１１６は、１つまたは複数の配電デバイス１０２における電圧特性の変更に基づいて、動作制限に対する効果を計算することができる（２０６）。あるいは、コンピュータ１１６は、１つまたは複数の配電デバイス１０２における力率特性の変更に基づいて、動作制限に対する効果を計算することができる（２０６）。例示的実施形態では、コンピュータ１１６は、１つまたは複数の配電デバイス１０２における動作パラメータを変更するための１つまたは複数の時間ベースのコスト関数、および／または、システム１００における需要応答イベントを開始するための１つまたは複数の時間ベースのコスト関数などの、複数の関数を用いて効果を計算する（２０６）。
【００１８】
コンピュータ１１６は、関数の結果を比較して、例えば、効率または収益などの、システム１００における所望の動作制限を最適化する関数を求める（２０８）。コンピュータ１１６は、比較に基づいて、システム１００における動作制限に対する効果が向上するように、指定された動作パラメータを１つまたは複数の配電デバイス１０２に変更させるコマンドを、その１つまたは複数の配電デバイス１０２に送信する（２１０）。例えば、コンピュータ１１６は、１つまたは複数の配電デバイス１０２に電圧特性および／または力率特性を変更させることができる。
【００１９】
配電システムにおける動作の向上に用いるためのシステムおよび方法に関する例示的実施形態が、上記に詳細に説明されている。これらのシステムおよび方法は、本明細書で説明された特定の実施形態に限定されず、むしろ、本方法における動作、ならびに／または、本システムおよび／もしくは本装置における構成要素は、本明細書で説明された他の動作、および／または、他の構成要素とは別に独立して利用されてもよい。さらに、説明された動作および／または構成要素は、他のシステム、方法、および／もしくは、装置の中で定義されていてもよく、または、他のシステム、方法、および／もしくは、装置と組み合わせて用いられてもよく、本明細書で説明されたシステム、方法、および記憶媒体のみを用いて実施することに限定されない。
【００２０】
配電システムにおける動作の向上に用いるための公知のシステムおよび方法に比べると、本明細書で説明された実施形態は、ノードレベルで収集され、また維持されるデータを用いて、電力網ノードにおける向上した動作と経済的動作とを促進する。電力ノードにおける経済的動作を向上または最適化することは、電力網におけるエネルギー送出の効率を上げることを促進する。エネルギー送出の効率を上げることは、電力会社の収益を上げ、エネルギー送出コストを下げ、かつ／または、需要家の電気料金を下げることを促進する。さらに、本明細書で説明された実施形態は、エネルギー消費量が変更された結果生じる収益変化と、効率向上とのバランスをとることを容易にする。例えば、エネルギー送出の効率を上げることは、エネルギー消費量に対応する低下のために、収益に対して逆の効果をもたらし得る。
【００２１】
本明細書で説明されたようなコンピュータまたはコントローラは、少なくとも１つのプロセッサまたは処理ユニットと、システムメモリとを含む。このコンピュータまたはコントローラは、通常、少なくともいくつかの形態のコンピュータ可読媒体を含む。限定ではなく例として、コンピュータ可読媒体は、コンピュータ記憶媒体と、通信媒体とを含む。コンピュータ記憶媒体は、コンピュータ可読命令、データ構造体、プログラムモジュール、または他のデータなどの情報を記憶するために、任意の方法または任意の技術によって実装される揮発性媒体および不揮発性媒体、取り外し可能な媒体、ならびに、取り外しできない媒体を含む。通信媒体は、通常、搬送波または他の搬送機構などの変調されたデータ信号の中のコンピュータ可読命令、データ構造体、プログラムモジュール、または他のデータを含み、また任意の情報送出媒体を含む。当業者は、１つまたは複数の特性の組を有するか、または、信号の中に情報を符号化するように変化する、変調されたデータ信号を熟知している。また、上記の任意の組み合わせも、コンピュータ可読媒体の範囲に含まれる。
【００２２】
例示的配電システム環境に関して本発明が説明されたが、本発明の実施形態は、複数の他の汎用もしくは専用の配電システム環境、または配電システム構成に対しても動作可能である。この配電システム環境は、本発明における任意の態様の使用範囲または機能範囲に関して、いかなる限定も示唆するようには考えられていない。さらに、この配電システム環境は、例示的動作環境で示された構成要素のいずれか１つ、またはそれらの組み合わせに関するいかなる依存関係、または、いかなる要件も有するようには解釈されるべきでない。
【００２３】
本発明の実施形態は、１つもしくは複数のコンピュータまたは他のデバイスによって実行されるプログラム部品またはプログラムモジュールなどのコンピュータ実行可能命令における一般的な状況の中で説明され得る。本発明の態様は、任意数の構成要素またはモジュール、および、任意構成の構成要素またはモジュールを用いて実施することができる。例えば、本発明の態様は、特定のコンピュータ実行可能命令に限定されず、または、図面で示され、本明細書で説明された特定の構成要素もしくはモジュールに限定されない。本発明の代替実施形態は、本明細書において例示され、また説明された機能を上まわる機能、もしくは、それを下まわる機能を有する様々なコンピュータ実行可能命令または構成要素を含むことができる。
【００２４】
本明細書において例示され、また説明された本発明の実施形態における動作の実行順序または実施順序は、特にことわらない限り重要ではない。すなわち、特にことわらない限り、動作は任意の順序で実行することができ、また本発明の実施形態は、本明細書で開示された動作より多い動作、またはそれより少ない動作を含むことができる。例えば、特定の動作を、別の動作の前、別の動作と同時、または、別の動作の後に実行または実施することは、本発明における態様の範囲に含まれることが意図されている。
【００２５】
本発明の態様、または、本発明の実施形態における要素を導入する場合、冠詞の「ａ」、「ａｎ」、「前記（ｔｈｅ）」、および「前記（ｓａｉｄ）」は、１つまたは複数の要素があることを意味するように考えられている。「備える（ｃｏｍｐｒｉｓｉｎｇ）」、「含む（ｉｎｃｌｕｄｉｎｇ）」、および「有する（ｈａｖｉｎｇ）」という用語は、包括的であり、列挙された要素以外の追加の要素があり得ることを意味するように考えられている。
【００２６】
本書では、最良の形態を含む本発明を開示するための例であって、さらに、任意のデバイスもしくはシステムの製造または使用と、取り入れられた任意の方法の実行とを含む本発明を当業者が実施できるようにするための例が用いられている。本発明における特許性のある範囲は、特許請求の範囲によって定義されており、当業者に思い浮かぶ他の例を含み得る。このような他の例は、このような他の例が、特許請求の範囲における文字通りの言葉と異なることのない構造的要素を有する場合、または、このような他の例が、特許請求の範囲における文字通りの言葉と実質的に異なることのない等価な構造的要素を含む場合、本特許請求の範囲に含まれると考えられる。
【符号の説明】
【００２７】
１００  システム
１０２  配電デバイス
１０４  電圧レギュレータ
１０６  ライン電圧レギュレータ
１０８  バンク制御部
１１０  位相変圧器
１１２  需要家メーター
１１４  負荷
１１６  コンピュータ
１１８  プロセッサ
１２０  メモリ領域
【図１】
2013005718.tif 000003
【図２】
2013005718.tif 000004
【外国語明細書】
2013005718000001.pdf